(57)【要約】【課題】  カウンタの側面を利用して広告などの画像情報を表示することができ、しかもその表示内容を側面付近の人や物などの障害物にかかわらず的確に認識させることが可能なカウンタ装置を提供する。【解決手段】  カウンタ１の側面１ｂに表示ユニット２およびセンサ３を設け、表示ユニット２の前に存する人や物などの障害物Ｘを検知し、表示ユニット２の全表示領域のうち、画像情報の許容表示領域をセンサ３の検知結果に応じて可変設定する。【選択図】      図３
2008216694.tif 000002
【特許請求の範囲】
【請求項１】
カウンタと、
前記カウンタの側面に設けられ、画像情報を表示する表示手段と、
前記表示手段の前に存する障害物を検知する検知手段と、
前記表示手段の全表示領域のうち、前記画像情報の許容表示領域を、前記検知手段の検知結果に応じて可変設定する設定手段と、
を備えることを特徴とするカウンタ装置。
【請求項２】
画像情報が記憶された記憶手段と、
前記表示手段の全表示領域のうち、前記設定手段により設定される許容表示領域に、前記記憶手段内の画像情報をサイズ変更または位置変更して表示する制御手段と、
をさらに備えることを特徴とする請求項１に記載のカウンタ装置。
【請求項３】
複数の画像情報が記憶された記憶手段と、
前記記憶手段内の各画像情報のいずれかを日時または曜日に応じて選択する選択手段と、
前記表示手段の全表示領域のうち、前記設定手段により設定される許容表示領域に、前記選択手段で選択される画像情報をサイズ変更または位置変更して表示する制御手段と、
をさらに備えることを特徴とする請求項１に記載のカウンタ装置。
【請求項４】
前記設定手段は、前記表示手段の全表示領域のうち、前記検知手段で検知される障害物と対向する領域を非表示領域として定め、その非表示領域以外の領域を前記許容表示領域として設定することを特徴とする請求項１に記載のカウンタ装置。
【請求項５】
前記検知手段は、前記表示手段の前に存する障害物とその障害物までの距離を検知し、
前記設定手段は、前記表示手段の全表示領域のうち、前記検知手段で検知される障害物と対向する領域を非表示領域として設定し、その非表示領域以外の領域を前記許容表示領域として設定し、これら非表示領域および許容表示領域の大きさを前記検知手段で検知される距離に応じてそれぞれ可変設定する、
ことを特徴とする請求項１に記載のカウンタ装置。
【発明の詳細な説明】
【技術分野】
【０００１】
この発明は、表示機能を有するカウンタ装置に関する。
【背景技術】
【０００２】
洋服店、電気店、銀行などの店舗に設置されている接客用のカウンタは、壁のように平らでしかも広い面積の側面を有している。この側面はアイキャッチの高い広告面として利用することが可能であり、店舗や商品を宣伝することができる。
【０００３】
例えば、広告（絵文字など）がプリントされたパネルをカウンタの側面に装着することが考えられる。しかしながら、この場合、宣伝の内容がパネルにプリントされた情報に限定されてしまう。パネルを取り替えることも可能であるが、複数種のパネルを用意しておかねばならず、またその中から１つのパネルを選び出す作業、選び出したパネルを装着中のパネルと取り替える作業が必要になるなど、店舗やオペレータにとって大きな負担となる。
【０００４】
そこで、カウンタの側面に液晶などのディスプレイなどを設け、予め用意しておいた広告用の複数の画像情報をそのディスプレイで適宜に切換ながら表示することが考えられる。また、ディスプレイの採用に際しては、ディスプレイから離れた人でも表示内容を的確に認識できるよう、余計な表示内容をディスプレイと人との間の距離に応じて取除くなどの処置が考えられる（例えば特許文献１）
【特許文献１】特開２００３―２７１２８３号公報
【発明の開示】
【発明が解決しようとする課題】
【０００５】
カウンタの側面付近には、人や物などの障害物が存在する。このため、側面のディスプレイなどで広告用の画像情報が表示されても、障害物が邪魔になって表示内容を的確に認識できないことが多い。
【０００６】
この発明は、上記の事情を考慮したもので、その目的は、カウンタの側面を利用して広告などの画像情報を表示することができ、しかもその表示内容を側面付近の人や物などの障害物にかかわらず的確に認識させることが可能なカウンタ装置を提供することにある。
【課題を解決するための手段】
【０００７】
請求項１に係る発明のカウンタ装置は、カウンタと、このカウンタの側面に設けられ、画像情報を表示する表示手段と、この表示手段の前に存する障害物を検知する検知手段と、上記表示手段の全表示領域のうち、上記画像情報の許容表示領域を、上記検知手段の検知結果に応じて可変設定する設定手段と、を備えている。
【発明の効果】
【０００８】
この発明のカウンタ装置によれば、カウンタの側面を利用して広告などの画像情報を表示することができる。しかも、その表示内容を側面付近の人や物などの障害物にかかわらず的確に認識させることができる。
【発明を実施するための最良の形態】
【０００９】
［１］第１の実施形態  
以下、この発明の第１の実施形態について図面を参照して説明する。  
図１はカウンタ装置の斜視図である。１は店舗の接客などに使用されるカウンタで、物を載せるための上面１ａを有するとともに、広告面として利用される側面１ｂを有している。
【００１０】
側面１ｂには、そのほぼ全域を被うように、液晶ディスプレイなどを用いた表示ユニット（表示手段）２が設けられている、また、側面１ｂの上縁部に、表示ユニット２の前に存する障害物を赤外線光や超音波などで検知するセンサ（検知手段）３が設けられている。
【００１１】
このような構成のカウンタ装置の制御回路を図２に示している。  
ＣＰＵ（Central Processing Unit）１０に、上記表示ユニット２、上記センサ３、制御プログラム記憶用のＲＯＭ１１、データ記憶用のＲＡＭ１２、記憶手段であるハードディスクドライブ（ＨＤＤ）１３、および操作部１４が接続されている。上記ハードディスクドライブ１３には、広告など多数の画像情報が記憶されている。
【００１２】
ＣＰＵ１０は、主要な機能として、次の（１）〜（４）の手段を有している。
【００１３】
（１）表示ユニット２の全表示領域のうち、画像情報の許容表示領域を、センサ３の検知結果に応じて可変設定する設定手段。具体的には、表示ユニット２の全表示領域のうち、センサ３で検知される障害物と対向する領域を非表示領域として定め、その非表示領域以外の領域を上記許容表示領域として設定する。
【００１４】
（２）日時および曜日を計るタイマ手段。
【００１５】
（３）ハードディスクドライブ１３内の各画像情報のいずれかを上記タイマ手段による日時または曜日に応じて選択する選択手段。
【００１６】
（４）表示ユニット２の全表示領域のうち、上記設定される許容表示領域に、上記選択される画像情報をサイズ変更または位置変更して表示する制御手段。
【００１７】
つぎに、作用を説明する。  
図１に示すように、表示ユニット２の前に人や物などの障害物が何もない場合、表示ユニット２の全表示領域が許容表示領域として設定され、現時点の日時あるいは曜日に対応する広告の画像情報が表示ユニット２の全表示領域で表示される。
【００１８】
図３に示すように、表示ユニット２の全表示領域の左側を覆う状態に人や物などの障害物Ｘが現れた場合、その障害物Ｘの存在および位置がセンサ３によって検知される。この検知に基づき、表示ユニット２の全表示領域のうち、障害物Ｘと対向する左側領域が非表示領域として定められ、その非表示領域以外の右側領域が許容表示領域として設定される。そして、設定された許容表示領域に、現時点の日時あるいは曜日に対応する広告の画像情報がサイズ変更または位置変更して表示される。
【００１９】
例えば、表示ユニット２の全領域で表示されていた図１の複数の画像情報のうち、任意の２つが、図３のように表示ユニット２の右側領域にそれぞれ移動され且つ縮小された状態で表示される。
【００２０】
図４に示すように、表示ユニット２の全表示領域のほぼ中央を覆う状態に障害物Ｘが現れた場合、その障害物Ｘの存在および位置がセンサ３によって検知される。この検知に基づき、表示ユニット２の全表示領域のうち、障害物Ｘと対向するほぼ中央領域が非表示領域として定められ、その非表示領域以外の左側領域および右側領域がそれぞれ許容表示領域として設定される。そして、設定された各許容表示領域に、現時点の日時あるいは曜日に対応する広告の画像情報がサイズ変更または位置変更して表示される。
【００２１】
例えば、表示ユニット２の全領域で表示されていた図１の複数の画像情報のうち、任意の２つが、図４のように表示ユニット２の左側領域および右側領域にそれぞれ移動され且つ縮小された状態で表示される。
【００２２】
以上のように、カウンタ１の側面１ｂに表示ユニット２およびセンサ３を設け、表示ユニット２の前に存する人や物などの障害物Ｘを検知し、表示ユニット２の全表示領域のうち、画像情報の許容表示領域をセンサ３の検知結果に応じて可変設定することにより、カウンタ１の側面１ｂを利用して広告などの画像情報を表示できて店舗や商品に関するアイキャッチの高い宣伝が可能になるとともに、しかもその表示内容を側面１ｂ付近の人や物などの障害物Ｘにかかわらず的確に表出して認識させることができる。
【００２３】
［２］第２の実施形態  
第２の実施形態では、センサ３が、表示ユニット２の前に存する障害物Ｘを検知するとともに、障害物Ｘまでの距離を検知する。
【００２４】
ＣＰＵ１０は、主要な機能として次の（１１）〜（１４）の手段を有している。
【００２５】
（１１）表示ユニット２の全表示領域のうち、センサ３で検知される障害物Ｘと対向する領域を非表示領域として設定し、その非表示領域以外の領域を許容表示領域として設定し、これら非表示領域および許容表示領域の大きさをセンサ３で検知される距離に応じてそれぞれ可変設定する設定手段。
【００２６】
（１２）日時および曜日を計るタイマ手段。
【００２７】
（１３）ハードディスクドライブ１３内の各画像情報のいずれかを上記タイマ手段による日時または曜日に応じて選択する選択手段。
【００２８】
（１４）表示ユニット２の全表示領域のうち、上記設定される許容表示領域に、上記選択される画像情報をサイズ変更または位置変更して表示する制御手段。  
他の構成は、第１の実施形態と同じである。よって、その説明は省略する。
【００２９】
例えば、図４に示すように、表示ユニット２の全表示領域のほぼ中央と対応する位置に人や物などの障害物Ｘが現れた場合、その障害物Ｘの存在および位置がセンサ３によって検知されるとともに、障害物Ｘまでの距離が同じセンサ３によって検知される。これら検知結果に基づき、表示ユニット２の全表示領域のうち、障害物Ｘと対向するほぼ中央領域が非表示領域として設定され、その非表示領域以外の左側領域および右側領域がそれぞれ許容表示領域として設定される。そして、これら非表示領域および許容表示領域の大きさが、表示ユニット２から障害物Ｘまでの距離に応じて可変設定される。
【００３０】
すなわち、表示ユニット２から障害物Ｘまでの距離が近いほど、非表示領域および許容表示領域がそれぞれ大きめに設定され、表示ユニット２から障害物Ｘまでの距離が遠くなるほど、非表示領域および許容表示領域がそれぞれ小さめに設定される。  
このように、表示ユニット２を見る人の遠近感に基づく視野範囲の変化を考慮して非表示領域および許容表示領域の大きさを変えることにより、表示ユニット２を見る人は、表示される画像情報の全体を欠かすことなく確実に見ることができる。
【００３１】
他の作用および効果は、第１の実施形態と同じである。よって、その詳細な説明は省略する。
【００３２】
なお、上記各実施形態において、カウント１の形状について限定はなく、どのような形状のものにも適用可能である。  
その他、この発明は上記各実施形態に限定されるものではなく、要旨を変えない範囲で種々変形実施可能である。
【図面の簡単な説明】
【００３３】
【図１】一実施形態の外観斜視図。
【図２】一実施形態の制御回路を示すブロック図。
【図３】一実施形態における障害物と許容表示領域との関係の一例を示す図。
【図４】一実施形態における障害物と許容表示領域との関係の他の例を示す図。
【符号の説明】
【００３４】
１…カウンタ、１ａ…上面、１ｂ…側面、２…表示ユニット（表示手段）、３…センサ（検知手段）、１０…ＣＰＵ、１３…ハードディスクドライブ（記憶手段）、Ｘ…障害物
【図１】
2008216694.tif 000003
【図２】
2008216694.tif 000004
【図３】
2008216694.tif 000005
【図４】
2008216694.tif 000006